(57)【要約】【課題】操作者の撮影操作性を損なうことなく、撮像素子やＩＣ等の発熱部品が実装された放熱板や駆動回路基板の冷却を確実に行えるようにする。【解決手段】カメラ本体１０の外表面に吸気孔８１と排気孔８２とを設けるとともに空冷ファン８４で駆動回路基板３７を通る空気流を発生させて強制空冷する上で、カメラ本体１０のグリップ部１３から外れた外表面の駆動回路基板３７を面方向に挟む位置に吸気孔８１と排気孔８２とを配置することで、操作者がグリップ部１３を手で保持して撮影操作を行う際に吸気孔８１や排気孔８２を手で塞いでしまうことはなく、よって、操作者の撮影操作性を損なうことなく、撮像素子３４に対して発熱源となる駆動回路基板３７の冷却を確実に行えるようにした。【選択図】        図４
2009033718.tif 000002
【特許請求の範囲】
【請求項１】
撮影レンズの光軸上に該光軸と直交するように配置されて前記撮影レンズによる被写体像が結像される撮像素子と、
該撮像素子の背面側に接触させて配置させた放熱板と、
前記撮像素子に対する撮像制御用素子を搭載して前記撮像素子の背面側に近接配置された駆動回路基板と、
前記撮影レンズを搭載し前記撮像素子および前記駆動回路基板を内蔵するとともに、前記光軸から外れた位置に操作者により保持される保持領域を有し、前記撮像素子の背面位置にモニタを有するカメラ本体と、
吸気した空気が前記駆動回路基板を通って排気されるように前記カメラ本体の前記保持領域から外れた外表面の前記駆動回路基板を面方向に挟む位置に配置された吸気孔と排気孔と、
前記カメラ本体内の前記排気孔近傍に配置されて前記駆動回路基板を通る空気流を発生させる空冷ファンと、
を備えることを特徴とする電子カメラ。
【請求項２】
前記排気孔は、前記カメラ本体の前記外表面において前記保持領域とは反対側の側面に配置されたことを特徴とする請求項１に記載の電子カメラ。
【請求項３】
前記吸気孔は、前記カメラ本体の前記外表面において前記モニタ周囲の複数個所に配置されたことを特徴とする請求項１に記載の電子カメラ。
【請求項４】
前記カメラ本体の前面側に配置されて前記撮影レンズを交換自在に装填するマウント部と、
前記保持領域の内部に配置されて電池を収納する電池室と、
前記電池に基づく電力を各部に供給する電源回路を搭載して前記カメラ本体内において前記電池室近傍の前記光軸側の位置に配置された電源回路基板と、
吸気した空気流が前記電源回路基板および前記電源回路基板を通って前記排気孔から排気されるにように前記カメラ本体の前記外表面において前記マウント部周辺に配置された前面側吸気孔と、
をさらに備えることを特徴とする請求項１に記載の電子カメラ。
【請求項５】
前記放熱板は、蓄熱材を直接接合することを特徴とする請求項１に記載の電子カメラ。
【請求項６】
前記カメラ本体は、前記吸気孔および前記排気孔に対して通気性を有するフィルタ部材を備えることを特徴とする請求項１に記載の電子カメラ。
【請求項７】
当該電子カメラのブレを補償するように前記撮像素子を変位駆動させる撮像素子シフト機構をさらに備えることを特徴とする請求項１に記載の電子カメラ。
【請求項８】
当該電子カメラ全体の動作を制御するマイクロコンピュータと、
前記カメラ本体内における前記駆動回路基板周辺の温度を検出する温度センサと、
をさらに備え、
前記マイクロコンピュータは、前記温度センサにより検出される温度に応じて前記空冷ファンを選択的に駆動させることを特徴とする請求項１に記載の電子カメラ。
【請求項９】
当該電子カメラ全体の動作を制御するマイクロコンピュータをさらに備え、
該マイクロコンピュータは、連写モードによる動作時間に応じて前記空冷ファンを選択的に駆動させることを特徴とする請求項１に記載の電子カメラ。
【請求項１０】
当該電子カメラ全体の動作を制御するマイクロコンピュータをさらに備え、
該マイクロコンピュータは、ライブビューモードによる動作時間に応じて前記空冷ファンを選択的に駆動させることを特徴とする請求項１に記載の電子カメラ。
【請求項１１】
前記マウント部に交換自在に装填された撮影レンズをさらに備えることを特徴とする請求項４に記載の電子カメラ。
【発明の詳細な説明】
【技術分野】
【０００１】
本発明は、撮影レンズによる被写体像を撮像素子に結像させて撮像する電子カメラ、または、撮影機能を有する携帯電話、携帯情報端末などに関するものである。
【背景技術】
【０００２】
ＣＣＤ等の撮像素子を備えるデジタルカメラ等の電子カメラは、撮影レンズの透過光束を撮像素子で受光し、その光電変換出力に基づいて画像データを得る。撮像素子は、タイミングジェネレータ素子や、ＡＦＥ（Analog Front End）素子などの撮像制御用ＩＣを搭載した駆動回路基板によって撮像動作が制御される。タイミングジェネレータ素子は、撮像素子を駆動するためのものである。また、ＡＦＥ素子は、撮像素子が取得した画像データについてサンプリング処理、Ａ／Ｄ変換処理、ＡＧＣ処理等を行うためのものである。ここで、駆動回路基板は、撮像素子に対して離れた位置に配置すると、電気的なノイズの影響を受けやすいため、撮像素子に対して近接させて配置することが望まれる。
【０００３】
一方、駆動回路基板に搭載されたタイミングジェネレータ素子やＡＦＥ素子などのＩＣは、その連続的な動作に伴い発熱する発熱源となり、周囲温度を上昇させる。特に、近年では、撮像素子の画素数の増大に伴って動作クロックが上昇し、駆動回路基板における発熱量が増大する傾向にある。よって、撮像素子は、このような駆動回路基板が近接配置されていると、駆動回路基板を発熱源とする熱ノイズの影響を受けて画質の低下を生ずるため、駆動回路基板を冷却する対策が必要となる。
【０００４】
ここで、電子カメラのケース内に存在するＣＣＤ等の撮像素子やＩＣなどの発熱部品およびそれら発熱部品が実装された基板を強制空冷する技術は周知である（例えば、特許文献１参照）。
【０００５】
【特許文献１】特開平１０−２８５４４１号公報
【発明の開示】
【発明が解決しようとする課題】
【０００６】
しかしながら、空冷ファンによる強制空冷方式を用いて上述したような電子カメラの駆動回路基板を冷却しようとする場合、操作者が電子カメラの保持部を手で保持しながら撮影操作を行う上で、吸気孔あるいは排気孔を手で塞いでしまうことがある。これにより、確実な吸排気動作が確保できず、冷却効果が不十分となってしまうことがある。この場合、操作者が孔を塞がないように注意して電子カメラを保持すればよいが、保持しにくくなったり不安定な保持となり、操作性が損なわれてしまう。
【０００７】
本発明は、上記に鑑みてなされたものであって、操作者の撮影操作性を損なうことなく、撮像素子やＩＣ等の発熱部品が実装された放熱板や駆動回路基板の冷却を確実に行うことができる電子カメラを提供することを目的とする。
【課題を解決するための手段】
【０００８】
上述した課題を解決し、目的を達成するために、本発明にかかる電子カメラは、撮影レンズの光軸上に該光軸と直交するように配置されて前記撮影レンズによる被写体像が結像される撮像素子と、該撮像素子の背面側に接触させて配置させた放熱板と、前記撮像素子に対する撮像制御用素子を搭載して前記撮像素子の背面側に近接配置された駆動回路基板と、前記撮影レンズを搭載し前記撮像素子および前記駆動回路基板を内蔵するとともに、前記光軸から外れた位置に操作者により保持される保持領域を有し、前記撮像素子の背面位置にモニタを有するカメラ本体と、吸気した空気が前記駆動回路基板を通って排気されるように前記カメラ本体の前記保持領域から外れた外表面の前記駆動回路基板を面方向に挟む位置に配置された吸気孔と排気孔と、前記カメラ本体内の前記排気孔近傍に配置されて前記駆動回路基板を通る空気流を発生させる空冷ファンと、を備えることを特徴とする。
【０００９】
また、本発明にかかる電子カメラは、上記発明において、前記排気孔は、前記カメラ本体の前記外表面において前記保持領域とは反対側の側面に配置されたことを特徴とする。
【００１０】
また、本発明にかかる電子カメラは、上記発明において、前記吸気孔は、前記カメラ本体の前記外表面において前記モニタ周囲の複数個所に配置されたことを特徴とする。
【００１１】
また、本発明にかかる電子カメラは、上記発明において、前記カメラ本体の前面側に配置されて前記撮影レンズを交換自在に装填するマウント部と、前記保持領域の内部に配置されて電池を収納する電池室と、前記電池に基づく電力を各部に供給する電源回路を搭載して前記カメラ本体内において前記電池室近傍の前記光軸側の位置に配置された電源回路基板と、吸気した空気流が前記電源回路基板および前記電源回路基板を通って前記排気孔から排気されるにように前記カメラ本体の前記外表面において前記マウント部周辺に配置された前面側吸気孔と、をさらに備えることを特徴とする。
【００１２】
また、本発明にかかる電子カメラは、上記発明において、前記放熱板は、蓄熱材を直接接合することを特徴とする。
【００１３】
また、本発明にかかる電子カメラは、上記発明において、前記カメラ本体は、前記吸気孔および前記排気孔に対して通気性を有するフィルタ部材を備えることを特徴とする。
【００１４】
また、本発明にかかる電子カメラは、上記発明において、当該電子カメラのブレを補償するように前記撮像素子を変位駆動させる撮像素子シフト機構をさらに備えることを特徴とする。
【００１５】
また、本発明にかかる電子カメラは、上記発明において、当該電子カメラ全体の動作を制御するマイクロコンピュータと、前記カメラ本体内における前記駆動回路基板周辺の温度を検出する温度センサと、をさらに備え、前記マイクロコンピュータは、前記温度センサにより検出される温度に応じて前記空冷ファンを選択的に駆動させることを特徴とする。
【００１６】
また、本発明にかかる電子カメラは、上記発明において、当該電子カメラ全体の動作を制御するマイクロコンピュータをさらに備え、該マイクロコンピュータは、連写モードによる動作時間に応じて前記空冷ファンを選択的に駆動させることを特徴とする。
【００１７】
また、本発明にかかる電子カメラは、上記発明において、当該電子カメラ全体の動作を制御するマイクロコンピュータをさらに備え、該マイクロコンピュータは、ライブビューモードによる動作時間に応じて前記空冷ファンを選択的に駆動させることを特徴とする。
【００１８】
また、本発明にかかる電子カメラは、上記発明において、前記マウント部に交換自在に装填された撮影レンズをさらに備えることを特徴とする。
【発明の効果】
【００１９】
本発明にかかる電子カメラは、カメラ本体の外表面に吸気孔と排気孔とを設けるとともに空冷ファンで駆動回路基板を通る空気流を発生させて強制空冷する上で、カメラ本体の保持領域から外れた外表面の駆動回路基板を面方向に挟む位置に吸気孔と排気孔とを配置している。これにより、操作者が保持領域を手で保持して撮影操作を行う際に吸気孔や排気孔を手で塞いでしまうことはない。よって、操作者の撮影操作性を損なうことなく、撮像素子に対して発熱源となる駆動回路基板の冷却を確実に行うことができるという効果を奏する。
【発明を実施するための最良の形態】
【００２０】
以下、本発明にかかる電子カメラを実施するための最良の形態を図面を参照して説明する。本実施の形態の電子カメラは、一例としてレンズ交換可能な一眼レフレックス式デジタルカメラへの適用例として説明する。
【００２１】
図１は、本実施の形態の一眼レフレックス式デジタルカメラのカメラ本体を前面側から見た外観斜視図であり、図２は、カメラ本体を背面側から見た外観斜視図であり、図３は、カメラ本体を背面側から俯瞰して示す外観斜視図であり、図４は、カメラ本体を光軸を含む水平面で切断して示す水平断面図であり、図５は、カメラ本体を光軸を含む垂直面で切断して示す縦断側面図である。
【００２２】
まず、主に図１〜図３を参照して外観構成の概略について説明する。本実施の形態の一眼レフレックス式デジタルカメラは、カメラ本体１０と、このカメラ本体１０の前面側略中央に交換自在に装填されることにより搭載される撮影レンズ９を含む交換レンズユニット８（図５参照）とにより構成される。カメラの外観形状を構成するカメラ本体１０は、全体的にはやや横長形状に形成されている。このカメラ本体１０は、撮影レンズ９の光軸上となる前面側略中央位置に撮影レンズ９を含む交換レンズユニット８を交換自在に装填するためのリング状のマウント部１１を備え、このマウント部１１の脇にレンズ着脱ボタン１２を備える。また、カメラ本体１０は、前面側から見て光軸を含む垂直面から左側に外れた端部部分に、撮影時等において操作者の右手により保持されるよう適宜突出させたグリップ形状に形成されて保持領域となるグリップ部１３を有する。このグリップ部１３の頂部には、グリップ部１３を保持したまま指先で操作されるレリーズボタン１４や露出補正ボタン１５を備える。また、カメラ本体１０は、前面側から見て左側上部に電源スイッチ１６を含むモードダイヤル１７やコントロールダイヤル１８を備え、各種モード等の設定切換えが可能とされている。
【００２３】
また、カメラ本体１０は、グリップ部１３の背面側において、ＡＦ（Auto focus）フレーム選択ボタン１９、ワンタッチホワイトバランスボタン２０、ホワイトバランス、ＡＦ等の調整ボタン２１およびＯＫボタン２２等を備える。また、カメラ本体１０は、背面側においてグリップ部１３に隣接する光軸上の位置に液晶モニタ２３を備える。この液晶モニタ２３は、撮影された画像の他、各種設定・調整事項等を表示するＴＦＴ（Thin Film Transistor）タイプのモニタであり、背面側面積の半分程度を占める大型の矩形状表示パネルである。カメラ本体１０は、背面側から見て液晶モニタ２３の左側に再生ボタン２４、消去ボタン２５、メニューボタン２６、情報表示ボタン２７等を備える。さらに、カメラ本体１０は、背面側において液晶モニタ２３の上部に、撮影時に操作者が覗くファインダ２８や、外付けのフラッシュを取り付けるホットシュー２９を備える。
【００２４】
次に、主に図４〜図５を参照してカメラ本体１０の内部構成について説明する。まず、カメラ本体１０は、前面側において光軸Ｌ上に位置させてクイックリターンミラー３１等のミラー部材を内蔵し、前面にマウント部１１が取り付けられたミラーボックス３２を有する。そして、カメラ本体１０内には、クイックリターンミラー３１よりも奥側に向けて、順に、フォーカルプレーンシャッタ３３、撮像素子３４や放熱板３５を含む撮像ユニット３６、駆動回路基板３７、回路基板３８等が光軸Ｌ上で光軸Ｌに直交させて互いに平行に配置されている。フォーカルプレーンシャッタ３３は、モータ３９によって開閉される。このモータ３９は、クイックリターンミラー３１のアップ／ダウン切換え動作にも使用される。
【００２５】
また、撮像ユニット３６は、前面側から順に配置された、防塵フィルタ４０、光学ローパスフィルタ４１、撮像素子３４をホルダ４２でユニット化したものである。防塵フィルタ４０は、周縁部に取り付けられた圧電素子を所定の周波数で振動させることにより振動してフィルタ表面に付着した塵を除去するためのものである。撮像素子３４は、撮影レンズ９により撮像面に結像された被写体像を光電変換するもので、矩形形状をなし、本実施の形態では、例えばＣＣＤイメージセンサが用いられている。なお、撮像素子３４としては、ＣＣＤイメージセンサに限らず、ＣＭＯＳイメージセンサ等であってもよい。また、放熱板３５は、放熱性のよい金属で撮像素子３４よりも大きめに形成されて撮像素子３４の背面側に接触させてホルダ４２に固定されることで、撮像素子固定板を兼用する。ここで、放熱板３５の表面（背面）側には、例えば４８℃で相変化を生じて溶融するときに熱を吸収する板形状の蓄熱材４３が直接貼付されている。蓄熱材４３は、サーモメモリ材料の潜熱蓄熱材を用いる。例えば、無機系の蓄熱材と合成樹脂一体成形型や有機系の蓄熱材はマイクロカプセルが充填された合成樹脂を用いることも可能である。蓄熱材形状は、熱伝導性の高い接着剤が塗布された薄いシート材になっている。
【００２６】
また、カメラ本体１０内には、デジタルカメラに手ブレが発生した場合に、撮像素子３４を搭載したホルダ４２を、そのブレを補償するように変位駆動させる撮像素子シフト機構５０が設けられている。この撮像素子シフト機構５０としては、各種構成を採り得るが、本実施の形態では、所定の周波電圧が印加されることにより駆動部に縦振動と屈曲振動とが合成された楕円振動を生ずる振動子をアクチュエータとして用いるものである。図６は、撮像素子シフト機構５０の構成例を示す分解斜視図である。図６を参照して概略的に説明すると、撮像素子シフト機構５０は、防塵フィルタ４０、光学ローパスフィルタ４１等とともに撮像素子３４を搭載したホルダ４２を光軸Ｌ（Ｚ軸方向）に直交するＸ軸およびＹ軸方向に移動させる最終的な移動対象物とする。そして、撮像素子シフト機構５０は、枠形状をなして光軸Ｌ上に配置されてホルダ４２をＹ軸方向に移動可能に搭載するＸ枠５１と、枠形状をなしてＸ枠５１をＸ軸方向に移動可能に搭載するフレーム部材５２とを備える。このフレーム部材５２は、カメラ本体１０内に位置固定されたものである。
【００２７】
また、撮像素子シフト機構５０は、Ｘ枠５１をフレーム部材５２に対してＸ軸方向に変位移動させるアクチュエータ５３を含むＸ軸駆動機構５４と、ホルダ４２をＸ枠５１に対してＹ軸方向に変位移動させるアクチュエータ５５を含むＹ軸駆動機構５６とを備える。そして、撮像素子シフト機構５０は、検出されたカメラの手ブレ量に応じて、ホルダ４２をＸ枠５１とともにフレーム部材５２に対してＸ軸方向に変位移動させるとともにＸ枠５１に対してＹ軸方向に変位移動させる。これにより、ホルダ４２に搭載された撮像素子３４は、ＸＹ平面内でＸ軸方向およびＹ軸方向に手ブレを補償するように変位移動される。位置検出装置は、撮像素子３４が搭載されたホルダ４２の一隅から延出するアーム部４２１が形成されている。このアーム部４２１には厚み方向に磁化された磁石４２２が接合されている。また、フレーム部材５２上には磁石４２２端部の磁力の変化を検出するための複数個のホール素子５２１を備える。磁石４２２とホール素子５２１は向かい合って対で構成されており、複数個のホール素子５２１は、平面方向でＸ軸、Ｙ軸の２次元方向の位置検出可能に配置されている。これにより、位置検出装置は、撮像素子３４が搭載されたホルダ４２が撮影レンズ９の光軸に対して垂直方向の２次元方向にＸ，Ｙ軸駆動機構５４，５６で移動するときの位置検出を行うことができる。
【００２８】
また、駆動回路基板３７は、撮像素子３４に対する撮像制御用素子としてＩＣ構成のＴＧ素子（タイミングジェネレータ素子）４５や、ＡＦＥ（Analog Front End）素子４６を搭載したものである。この駆動回路基板３７は、撮像素子３４や放熱板３５との間に僅かな隙間をもたせて背面側に近接配置され、ホルダ４２に固定されている。ここで、ＴＧ素子４５は、撮像素子３４を駆動するための動作クロックを供給するドライブＩＣである。また、ＡＦＥ素子４６は、撮像素子３４が光電変換により取得したアナログ信号に対してサンプリング処理を施した後、Ａ／Ｄ変換処理やＡＧＣ処理を行い、撮影画像としてデジタルデータが得られるように動作制御する。このような駆動回路基板３７を撮像素子３４の直後の背面に近接配置させることにより、電気的ノイズの影響が軽減される。さらに、駆動回路基板３７の裏面（撮像素子対向面）側中央には、周囲温度を検出する温度センサ４７が搭載されている。また、回路基板３８は、例えば撮像素子シフト機構５０に対する制御回路等を搭載したものであり、駆動回路基板３７との間に隙間をもたせて背面側に配置され、フレーム部材５２に固定されている。
【００２９】
一方、カメラ本体１０において、グリップ部１３の内部には、電池６１を収納する電池室６２が設けられている。また、グリップ部１３の内部において背面側には、カメラ全体の制御や画像処理、圧縮処理、データ記憶処理等を行うための主回路基板６３が光軸Ｌに対して直交する向きに配置されている。この主回路基板６３には、ＳＤＲＡＭ等のメモリも搭載されている。主回路基板６３と駆動回路基板３７との間は、フレキシブル基板６４によって電気的に接続されている。このフレキシブル基板６４は、内部空間内を閉塞しない幅に形成されている。また、グリップ部１３において、電池室６２と主回路基板６３との間には、メモリカード６５を装填するためのメモリスロット６６が形成され、通常は、開閉カバー６７で閉塞されている。これにより、撮像素子３４で撮像され、ＡＦＥ素子４６によりデジタル化された撮影画像データは、主回路基板６３において必要な処理が施された後、一旦、ＳＤＲＡＭに記憶され、その後、メモリカード６５に記憶される。また、グリップ部１３内において、電池室６２外の光軸Ｌ側の空間（中央寄りの空間）内には、基板面を前後方向とした電源回路基板６８が主回路基板６３に対して垂直に配置されている。この電源回路基板６８は、電池６１に基づく電力を、各基板３７，３８，６３上の各部に供給するための電源回路６９を搭載したものである。また、グリップ部１３内において、電池室６２より前面側にはストロボ用のアルミニウム電解コンデンサ７０が設けられている。
【００３０】
また、カメラ本体１０内において、クイックリターンミラー３１の光軸Ｌ上の背後には、サブミラー３１ａが配置され、サブミラー３１ａからの反射光を受けてデフォーカス量を検出するためのＡＦセンサユニット７１が設けられている。一方、クイックリターンミラー３１の反射側光軸上には、ダハミラー（ペンタプリズム）７２、接眼レンズ７３等が配設されている。接眼レンズ７３の上部には、ダハミラー７２からの一部の反射光を利用して測光するためのレンズ７４および測光センサ７５が配置されている。
【００３１】
このような構成において、撮像素子３４に対して駆動回路基板３７が主な発熱源となるものであり、本実施の形態では、カメラ構造に大きな変更を加えることなく駆動回路基板３７を強制的に冷却する冷却構造を備える。まず、カメラ本体１０の背面側の外表面において、液晶モニタ２３と調整ボタン２１との間（液晶モニタ２３の右側真横）に配置させて、数個のスリット状の吸気孔８１が形成されている。また、カメラ本体１０の外表面において、グリップ部１３とは反対側の側面（前面側から見て右側面）に配置させて、数個のスリット状の排気孔８２が形成されている。この排気孔８２は、カメラ本体１０の上下方向においては、吸気孔８１と対応する中央位置に形成されている。すなわち、吸気孔８１と排気孔８２とは、カメラ本体１０のグリップ部１３から外れた外表面の駆動回路基板３７（液晶モニタ２３）の左右両端を面方向に挟む位置に配置されている。これにより、図４中に矢印で示すように、吸気孔８１から吸気した空気が駆動回路基板３７周りを通って排気孔８２から排気される流路８３が形成されるように設定されている。そして、カメラ本体１０の外装（カバー）形状に合わせて配置された空冷ファン８４と排気孔８２がある。この空冷ファン８４の排気面の大きさに比べて多数の排気孔８２が設けられたシートの大きさが小さく、空冷ファン８４と排気孔８２との間の形成された空間は側壁により包囲されている。また、空冷ファン８４のカバーは、排気面と排気孔８２の対向面を近接接合してもよい。このとき、側面から空冷ファン８４で吸引した高熱な空気が漏れないようにする。この空冷ファン８４は、吸気孔８１から空気を吸気して駆動回路基板３７周りを通る空気流を強制的に発生させて排気孔８２から排気させるためのものである。この空冷ファン８４は、ファン固定ホルダ８５によってカメラ本体１０の内部に固定されている。
【００３２】
また、カメラ本体１０の外表面において、液晶モニタ２３の上側周辺となる背面に配置させて吸気孔８６が形成され、液晶モニタ２３の下側周辺となる底面に配置させて吸気孔８７が形成されている。これら吸気孔８６,８７は、液晶モニタ２３の上辺、底辺に沿わせた数個のスリット状の孔により形成されている。これら吸気孔８６,８７も、カメラ本体１０のグリップ部１３から外れた外表面の駆動回路基板３７（液晶モニタ２３）を面方向に挟む位置に配置されたものである。
【００３３】
さらに、カメラ本体１０の前面側の外表面において、マウント部１１周辺であって電源回路基板６８の手前側一端付近に配置させて前面側吸気孔８８が形成されている。この前面側吸気孔８８は、この前面側吸気孔８８から空冷ファン８４によって吸気した空気流が電源回路基板６８および駆動回路基板３７周りを通って排気孔８２から排気されるようにするためのものである。
【００３４】
さらに、カメラ本体１０内において、それぞれの吸気孔８１,８６,８７、排気孔８２、前面側吸気孔８８に対して通気性を有するスポンジ状のフィルタ部材８９〜９３が外装カバー内面に密着させて設けられている。これらフィルタ部材８９〜９３を備えることで、空冷ファン８４の駆動により空気流が流れる場合や、空冷ファン８４の停止時において、塵埃等が吸気孔８１,８６,８７、排気孔８２、前面側吸気孔８８からカメラ本体１０内に入り込むことが防止される。
【００３５】
つづいて、このような構成要素を含む本実施の形態の一眼レフレックス式デジタルカメラの電装制御系の構成について説明する。図７は、本実施の形態の一眼レフレックス式デジタルカメラの電装制御系の構成例を示すブロック図である。まず、カメラ全体の制御を司るシステムコントローラ（マイクロコンピュータ）１００を備える。システムコントローラ１００は、ＣＰＵ９９と複数の回路ブロックからなり、駆動回路基板３７上に搭載されている。複数の回路ブロックは、例えば画像処理回路１０１、圧縮伸張回路１０２、画像認識回路１０３、外部メモリＩＦ回路１０４、汎用Ｉ／Ｏ回路１０５、割り込み制御回路１０６、タイマカウンタ１０７、Ａ／Ｄコンバータ１０８等である。ＣＰＵ９９と各回路ブロック１０１〜１０８とは制御ラインやバスラインで接続されている。
【００３６】
画像処理回路１０１は、撮像素子３４で撮像されて撮像素子ＩＦ回路１１０から取り込んだ画像データに対してγ補正、色変換、画素変換、ホワイトバランス処理等の所定の画像処理を施す。圧縮伸張回路１０２は、画像処理回路１０１で画像処理された画像データの圧縮処理やメモリカード６５から読み出された圧縮画像データの伸張処理を行う。画像認識回路１０３は、撮像素子３４で撮像された画像データから所定の画像認識アルゴリズムを用いて被写体である人物の顔の特徴点を検出する際に必要な画像処理アルゴリズムを実行する。
【００３７】
また、外部メモリＩＦ回路１０４は、メモリカード６５、ＳＤＲＡＭ１１２、ＦｌａｓｈＲｏｍ１１３とシステムコントローラ１００内部のデータバスとのブリッジ機能を果す。ＦｌａｓｈＲｏｍ１１３には、全体の動作を制御するための制御プログラム、制御パラメータ等が記録されている。システムコントローラ１００は、ＣＰＵ９９がＦｌａｓｈＲｏｍ１１３に格納されている制御プログラムを読み出して実行することにより、カメラの動作を制御する。ＳＤＲＡＭ１１２は、撮像素子ＩＦ回路１１０を介して得られた画像データの一時格納用や、システムコントローラ１００のワークエリアとして用いられる。メモリカード６５は、半導体の不揮発性メモリや小型ＨＤＤ等の着脱可能な記録媒体である。
【００３８】
汎用Ｉ／Ｏ回路１０５は、システムコントローラ１００に接続されたカメラ操作スイッチ１１４の読込み端子、周辺回路を制御する制御信号の出力端子として用いられる。割り込み制御回路１０６は、カメラ操作スイッチ１１４による割り込み信号、タイマカウンタ１０７による割り込み信号などを生成する。タイマカウンタ１０７は、クロックをカウントしてシステム制御に必要なタイミング信号を発生させる。Ａ／Ｄコンバータ１０８は、カメラが備える温度センサ４７等の各種センサの検出出力をＡ／Ｄ変換する。
【００３９】
ホルダ４２でユニット化された撮像ユニット３６中に設けられたＣＣＤ等からなる撮像素子３４は、撮影レンズ９により結像された被写体像をアナログ電気信号に光電変換する。撮像素子ＩＦ回路１１０は、撮像素子３４を駆動するタイミングパルスを生成し、撮像素子３４が光電変換したアナログ電気信号を読み出し、Ａ／Ｄ変換して画像データとしてシステムコントローラ１００へ転送する。
【００４０】
温度センサ４７は、温度検出回路１１８とともに温度検出手段を構成する。温度センサとしては、温度に応じて抵抗値が変化する素子や、半導体温度センサを用いればよい。温度センサ４７は、前述したように、駆動回路基板３７の裏面（撮像素子対向面）側中央に配置されて、駆動回路基板３７周辺の温度を検出するためのものである。また、測光センサ７５は、輝度測定回路１１１とともに輝度測定手段を構成し、ファインダから被写体の輝度を検出する。さらに、空冷ファン８４は、空冷ファン駆動回路１２８を介してシステムコントローラ１００に接続され、システムコントローラ１００の制御の下に駆動が制御される。
【００４１】
また、防塵フィルタ駆動回路１１９は、撮像ユニット３６中に含まれる防塵フィルタ４０に付着した塵埃を振動によって除去するために圧電素子に対して駆動信号を出力する。撮像素子シフト機構５０は、撮像ユニット３６を保持したホルダ４２を撮影レンズ９の光軸Ｏに垂直なＸＹ平面内で２次元的に変位させるためのものであり、駆動源として電磁駆動モータなるアクチュエータを備えている。アクチュエータ駆動回路１２０は、このアクチュエータに対して駆動信号を出力する。システムコントローラ１００は、カメラに生じたブレに応じて撮像ユニット３６（ホルダ４２）を変位させることで画像が劣化することを防止する、いわゆる手ブレ補正動作を実行できる。カメラに生じたブレは、ジャイロスコープを利用した角速度センサ１２１ａと、この角速度センサ１２１ａの出力を増幅する角速度検出回路１２１とによって検出される。システムコントローラ１００は、角速度検出回路１２１の出力に基づきアクチュエータ駆動回路１２０に対してブレ補正動作のための制御信号を出力する。
【００４２】
撮像ユニット３６の前面（被写体側）に設けられて撮像素子３４の露光時間を制御するフォーカルプレーンシャッタ３３は、シャッタ制御回路１２２から出力される制御信号に応じて開閉動作が制御される。システムコントローラ１００は、露光時間に応じてシャッタ制御回路１２２を制御する。クイックリターンミラー３１は、撮影レンズ９の光束を撮像素子３４と観察光学系（ペンタプリズム７２と接眼レンズ７３）とへ導くためのビームスプリッタである。クイックリターンミラー６の中央部には、サブミラー６ａが支持される。クイックリターンミラー６の中央部は半透明であり、この半透明部を通過した光はサブミラー６ａで反射してＡＦセンサユニット７１へ導かれる。クイックリターンミラー６は、ミラー変位機構１２３によって撮影レンズ９の光路中（ダウン位置）と光路外（アップ位置）との位置を選択的に取り得る。ミラー駆動回路１２４は、ミラー変位機構１２３中のアクチュエータに対して駆動信号を送る。クイックリターンミラー６がダウン位置にあり、サブミラー６ａが光路中にあるときは、撮影レンズ９の光束は、ＡＦセンサユニット７１へ導かれる。したがって、システムコントローラ１００は、ＡＦセンサユニット７１の出力からデフォーカス量（ピントのずれ量）を求める場合には、サブミラー６ａを光路中に設定する。そして、撮影動作を行う場合は、サブミラー６ａを光路外へ退避させる。このＡＦセンサユニット７１中のＡＦセンサとしては、例えば周知の位相差方式のＡＦセンサが用いられる。
【００４３】
また、電源回路（ＤＣ／ＤＣコンバータ）１２６は、電池６１の電圧をシステムコントローラ１００とその周辺回路に必要な駆動電圧に変換して供給する。電力分配は、システムコントローラ１００の指令に基づき制御される。液晶モニタ駆動回路１２７は、液晶モニタ２３を駆動する。液晶モニタ２３は、液晶モニタ駆動回路１２７からの駆動信号に応じてライブビュー動作時の画像データを表示したり、各種メニュー等を表示する。カメラ操作スイッチ１１４は、カメラを操作するためのスイッチであり、レリーズボタン１４や露出補正ボタン１５や、モード設定スイッチ（例えば、撮影モードスイッチ）、ライブビュースイッチ、電源スイッチ１６等を含む。
【００４４】
交換レンズユニット８は、レンズ制御コントローラ１３０によって制御される。レンズ制御コントローラ１３０は、システムコントローラ１００に対して通信ラインによって接続され、システムコントローラ１００からの指令に応じて所定の制御動作を実行する。変倍機構１３１は、撮影レンズ９中のズーム用レンズ９ａの焦点距離を変化させるズーム動作を行わせるための機構である。焦点調整機構１３２は、撮影レンズ９中のフォーカス用レンズ９ｂの結像位置を変化させるための機構である。それぞれの機構１３１，１３２に設けられたモータに対する駆動信号は、レンズモータ駆動回路１３３から供給される。レンズ制御コントローラ１３０は、レンズモータ駆動回路１３３を制御することで撮影レンズ９のズーム動作と焦点調整動作とを行う。
【００４５】
次いで、空冷ファン８４の駆動による強制空冷時の動作について説明する。空冷ファン８４が駆動されると、排気孔８２から排気される空気流を生じ、これに伴い、カメラ本体１０の背面の吸気孔８１から吸気された空気が駆動回路基板３７周りの流路８３を通って排気孔８２からカメラ本体１０の側方に排気される。すなわち、吸気孔８１から吸気された空気が駆動回路基板３７と回路基板３８との隙間や、駆動回路基板３７と撮像素子３４(放熱板３５)の背面との間の隙間を面方向に通る空気流となって流れる。これにより、発熱源となる駆動回路基板３７を効率よく強制空冷し、撮像素子３４に対する熱ノイズを低減させることができる。
【００４６】
この際、放熱板３５部分に対しても面方向に空気流が流れるので、放熱板３５も強制空冷によって冷却され、放熱板３５が接触している撮像素子３４自身も効率よく冷却することができる。ここで、撮像素子に当接させた放熱板を外装カバーに接触固定させることで、撮像素子が発する熱を放熱板、外装カバーへ熱伝導させて放熱する放熱対策もある（例えば、特開２００５−２５２５４７号公報、特開２００４−１０４６３２号公報参照）。しかしながら、本実施の形態の場合、撮像素子３４は撮像素子シフト機構５０によって可動的に設けられており、熱伝導方式の放熱対策を適用することはできないが、上記の強制空冷によって対処することができる。
【００４７】
また、空冷ファン８４の駆動に伴い、液晶モニタ２３の上下位置に配置させてカメラ本体１０の外表面に形成された吸気孔８６，８７から吸気されて駆動回路基板３７周りの流路８３を通って排気孔８２からカメラ本体１０の側方に排気される空気流も生ずる。これにより、駆動回路基板３７の強制冷却を全面的に効率よく行うことができる。
【００４８】
さらには、空冷ファン８４の駆動に伴い、マウント部１１周辺であって電源回路基板６８の手前側一端付近に配置させて形成された前面側吸気孔８８から吸気されて電源回路基板６８周りおよび駆動回路基板３７周りを通って排気孔８２から排気される空気流も生ずる。これにより、駆動回路基板３７の強制冷却を向上させることができるとともに、電源回路基板６８で発生する熱に対しても効率よく冷却を行うことができる。
【００４９】
空冷ファン８４の駆動によるこのような強制空冷動作は、例えば、カメラ本体１０のグリップ部１３を操作者の右手で保持し、レンズユニットを必要に応じて左手で保持し、ファインダ２８を覗く状況で実行される。この際、いずれの吸気孔８１，８６，８７、前面側吸気孔８８、排気孔８２もカメラ本体１０のグリップ部１３から外れた外表面に配置させて設けられているので、グリップ部１３を保持する手で孔を塞いでしまうことはなく、確実に強制空冷を行わせることができる。ここで、グリップ部1３の保持の仕方は、撮影状況により異なり、また、個人差も大きいが、その影響を受けない。よって、操作者は、吸気孔８１，８６，８７、前面側吸気孔８８、排気孔８２を特に意識することなくグリップ部１３を保持すればよく、操作性が損なわれることはない。また、駆動回路基板３７等を強制空冷して排気孔８２から排気される空気流は、カメラ本体１０の側方に向けて流れるため、操作者の顔など操作者側に向けて排気されることはない。よって、操作者は、排気によって不快感を受けることがなく、快適に操作することができる。
【００５０】
次に、空冷ファン８４の駆動タイミングについて説明する。空冷ファン８４は常時駆動されるものではなく、駆動回路基板３７が発熱して温度上昇が生じた必要時にのみ選択的に駆動される。撮像素子３４に対して発熱源となる駆動回路基板３７の周辺の温度は、温度センサ４７により常時検出される。一方、駆動回路基板３７に対向する放熱板３５には蓄熱材４３が貼付されており、駆動回路基板３７の発熱により、例えば、流路８３付近の温度が４８℃程度まで上昇した場合、蓄熱材４３が相変化を生じて溶融するときに熱を一時的に吸収する。これにより、それ以上の温度上昇の時間が引き延ばされる。そして、駆動回路基板３７の発熱が続き、温度センサ４７により検出される周囲温度が例えば５０℃〜６０℃に達すると、図示しない制御手段によって空冷ファン８４の駆動が指示される。このように、この時点で空冷ファン８４が駆動されることで駆動回路基板３７周りの強制空冷が行われる。その後、温度センサ４７により検出される周囲温度が所定温度以下に低下すると、空冷ファン８４の駆動が停止される。
【００５１】
ここで、システムコントローラ１００により実行される上記の温度データに応じた空冷ファン８４の動作制御例について説明する。図８は、検出温度に応じた空冷ファン８４の動作制御例を示す概略フローチャートである。なお、このフローチャートでは、上記制御の特徴点を説明するために必要な動作のみを示す。
【００５２】
まず、カメラ操作スイッチ１１４の一つである電源スイッチ１６がＯＮすると、システムに電源が供給され、システムコントローラ１００は、動作を開始する。動作の開始時に、システム初期化動作を実行する（ステップＳ９０）。次いで、温度センサ４７により検知されて温度検出回路１１８から得られる出力をＡ／Ｄ変換することで、撮像素子３４を含む駆動回路基板３７周りの温度を測定する（ステップＳ１００）。そして、測定された温度データが予め設定された所定の閾値温度Ｔｆａｎ−ｏｎより高いか否かを判定する（ステップＳ１０２）。所定の閾値温度Ｔｆａｎ−ｏｎは、ＦｌａｓｈＲｏｍ１１３に制御パラメータの一つとして予め記憶されている。
【００５３】
ここで、測定された温度データが閾値温度Ｔｆａｎ−ｏｎより高くなると（ステップＳ１０２；Ｙｅｓ）、空冷ファン８４を駆動させて撮像素子３４を含む駆動回路基板３７周りを冷やす必要があり、ステップＳ１０８側に移行する。まず、既に空冷ファン８４が駆動中であるか否かを判定する（ステップＳ１０８）。駆動中でなければ（ステップＳ１０８；Ｎｏ）、空冷ファン駆動回路１２８へ駆動開始信号を送出し、空冷ファン８４の駆動を開始させる（ステップＳ１１０）。駆動中であれば（ステップＳ１０８：Ｙｅｓ）、ステップＳ１１２へ移行する。
【００５４】
一方、測定された温度データが閾値温度Ｔｆａｎ−ｏｎ以下の場合には（ステップＳ１０２；Ｎｏ）、ステップＳ１０４側に移行する。まず、空冷ファン８４が駆動中であるか否かを判定する（ステップＳ１０４）。駆動中であれば（ステップＳ１０４；Ｙｅｓ）、空冷ファン駆動回路１２８へ駆動停止信号を送出し、空冷ファン８４の駆動を停止させる（ステップＳ１０６）。駆動中でなければ（ステップＳ１０４：Ｎｏ）、ステップＳ１１２へ移行する。
【００５５】
このようなステップＳ１００〜Ｓ１１０の動作制御は、システムの起動中は周期的に実行される。したがって、撮像素子３４を含む駆動回路基板３７周りの温度変化（撮像素子３４の動作に応じて変化）に応じて空冷ファン８４の駆動は、ＯＮ・ＯＦＦ制御される。
【００５６】
その後、カメラ操作スイッチ１１４の一つであるレリーズボタン１４がＯＮしているか否かを判定する（ステップＳ１１２）。レリーズボタン１４がＯＮしている場合には（ステップＳ１１２；Ｙｅｓ）、ＡＦセンサユニット７１の出力に基づきデフォーカス量（公知の位相差方式の焦点検出方法による）を検出し、検出したデフォーカス量をレンズ制御コントローラ１３０へ送信する。このデフォーカス量に基づきレンズ制御コントローラ１３０によって撮影レンズ９の焦点調整動作を実行させる（ステップＳ１１４）。また、測光動作を行い、輝度測定回路１１１の出力をＡ／Ｄ変換して被写体輝度を検出する（ステップＳ１１６）。このデータに基づき、露出条件（レンズの絞り値、シャッタ秒時）を決定する。
【００５７】
引き続き、ミラー駆動回路１２４を制御し、クイックリターンミラー３１をアップ位置へ設定するミラーアップ動作を行う（ステップＳ１１８）。さらに、ステップＳ１１６で決定した絞り値をレンズ制御コントローラ１３０へ送信するとともに、ステップＳ１１６で決定したシャッタ秒時に基づきシャッタ３３を制御して撮像素子３４を露光する（ステップＳ１２２）。露光動作後、撮像素子３４から画像データは読み出されて所定の画像ファイルに変換してメモリカード６５へ格納される。次いで、ミラー駆動回路１２４を制御し、クイックリターンミラー３１をダウン位置へ設定するミラーダウン動作を行い（ステップＳ１２４）、ステップＳ１００へ移行する。
【００５８】
また、レリーズボタン１４がＯＦＦの場合には（ステップＳ１１２；Ｎｏ）、カメラ操作スイッチ１１４の一つである電源スイッチ１６がＯＮ状態にあるか否かを判定する（ステップＳ１２６）。電源スイッチ１６がＯＮ状態であれば（ステップＳ１２６；Ｙｅｓ）、ステップＳ１００へ移行する。一方、電源スイッチ１６がＯＦＦであれば（ステップＳ１２６；Ｎｏ）、システム停止動作を実行し（ステップＳ１３０）、システムの動作を停止させる。
【００５９】
本発明は、上述した実施の形態に限らず、本発明の趣旨を逸脱しない範囲であれば、種々の変形が可能である。例えば、本実施の形態では、放熱板３５に対して設けた蓄熱材４３を併用して温度上昇を抑制しつつ、温度センサ４７による検出温度に応じて空冷ファン８４を選択的に駆動させるようにした。しかし、蓄熱材４３を用いない場合であっても、同様に、温度センサ４７による検出温度に応じて空冷ファン８４を選択的に駆動させることができる。
【００６０】
また、温度センサ４７を用いずに、動作モードに応じて空冷ファン８４を選択的に駆動させるようにしてもよい。駆動回路基板３７は、撮像素子３４を連続的に駆動させ、この撮像素子３４が取得した画像データを連続的に処理するときに発熱量が大きくなり、温度上昇を生ずる。このような動作モードとして、例えば、被写体像を短時間で連続的に撮影する連続撮影モード（連写モード）や、撮像素子３４が撮影している画像を液晶モニタ２３に連続的に表示させてファインダ代わりに利用可能とするライブビューモードがある。これらの連写モードやライブビューモードは、スイッチ操作により選択的に設定される。そこで、連写モードまたはライブビューモードの動作モードが設定された場合、そのモード設定からの動作時間が所定時間経過した時点で自動的に空冷ファン８４を駆動させるようにしてもよい。このように空冷動作を遅らせることで、電子カメラの電力消費を少なくすることができる。
【００６１】
ここで、システムコントローラ１００により実行されるライブビューモード時の空冷ファン８４の動作制御例について説明する。図９は、ライブビューモード時における空冷ファン８４の動作制御例を示す概略フローチャートである。すなわち、ライブビュー動作を行うと、撮像素子３４が連続的に駆動される。撮像素子３４は、連続的な動作によって温度が上昇する。そこで、ライブビュー動作開始後、所定時間が経過したら空冷ファン８４を駆動させることで、撮像素子３４を含む駆動回路基板３７周りの冷却を行う。なお、このフローチャートでは、上記制御の特徴点を説明するために必要な動作のみを示す。
【００６２】
まず、カメラ操作スイッチ１１４の一つである電源スイッチ１６がＯＮすると、システムに電源が供給され、システムコントローラ１００は、動作を開始する。動作の開始時に、システム初期化動作を実行する（ステップＳ１９０）。次いで、カメラ操作スイッチ１１４の一つであるライブビュースイッチがＯＮしているか否かを判定する（ステップＳ２００）。ライブビュースイッチがＯＦＦの場合には（ステップＳ２００；Ｎｏ）、ステップＳ２２０へ移行する。一方、ライブビュースイッチがＯＮの場合には（ステップＳ２００；Ｙｅｓ）、ステップＳ２０２へ移行する。
【００６３】
ここで、ライブビュースイッチは、その操作に応じて、２つのファインダモードが切り替わる。すなわち、光学ファインダモードとライブビューモードとが交互に切り替わる。光学ファインダモードは、一眼レフレックスカメラの特徴である光学ファインダ２８を用いて被写体像を観察可能なモードである。一方、ライブビューモードでは、撮像素子３４から所定のフレームレートで被写体画像データを取得し、この画像データに基づき液晶モニタ２３上に画像を表示させる。この液晶モニタ２３の表示を用いて被写体像を観察するモードである。
【００６４】
そこで、ステップＳ２０２では、ファインダモードがライブビューモードに設定されているか否かを判定する。ライブビューモードが設定されている場合には（ステップＳ２０２；Ｙｅｓ）、ファインダモードを光学ファインダモードに設定する（ステップＳ２０４）。そして、クイックリターンミラー３１をダウン位置へ設定するとともに、撮像素子ＩＦ回路１１０を制御してライブビュー動作を停止させる（ステップＳ２０６）。さらに、ライブビュー動作の設定に伴いカウント動作を開始していたタイマカウンタを停止させる（ステップＳ２０８）。さらに、空冷ファン８４が駆動中であるか否かを判定し（ステップＳ２１０）、駆動中であれば（ステップＳ２１０；Ｙｅｓ）、空冷ファン駆動回路１２８へ駆動停止信号を送り、空冷ファン８４の駆動を停止させる（ステップＳ２１２）。駆動中でなければ（ステップＳ２１０；Ｎｏ）、ステップＳ２２０へ移行する。
【００６５】
一方、ライブビューモードが設定されていない場合（光学ファインダモードが設定されている場合）には（ステップＳ２０２；Ｎｏ）、ファインダモードをライブビューモードに設定する（ステップＳ２１４）。そして、クイックリターンミラー３１をアップ位置へ設定する。また、撮像素子３４から所定のフレームレートで画像データを取得するため、撮像素子ＩＦ回路１１０の設定を行い、取得される画像データを液晶モニタ駆動回路１２７への転送動作を開始させる。これにより、ライブビュー動作を開始させる（ステップＳ２１６）。また、ライブビュー動作の開始時からの経過時間を測定するためにタイマカウンタのカウント動作を開始させる（ステップＳ２１８）。
【００６６】
その後、カメラ操作スイッチ１１４の一つであるレリーズボタン１４がＯＮしているか否かを判定する（ステップＳ２２０）。レリーズボタン１４がＯＮしている場合には（ステップＳ２２０；Ｙｅｓ）、ＡＦセンサユニット７１の出力に基づきデフォーカス量（公知の位相差方式の焦点検出方法による）を検出し、検出したデフォーカス量をレンズ制御コントローラ１３０へ送信する。このデフォーカス量に基づきレンズ制御コントローラ１３０によって撮影レンズ９の焦点調整動作を実行させる（ステップＳ２２２）。また、測光動作を行い、輝度測定回路１１１の出力をＡ／Ｄ変換して被写体輝度を検出する（ステップＳ２２４）。このデータに基づき、露出条件（レンズの絞り値、シャッタ秒時）を決定する。
【００６７】
そして、ファインダモードがライブビューモードに設定されているか否かを判定する（ステップＳ２２６）。ライブビューモードに設定されていない場合（光学ファインダモードに設定されている場合）には（ステップＳ２２６；Ｎｏ）、ミラー駆動回路１２４を制御し、クイックリターンミラー３１をアップ位置へ設定するミラーアップ動作を行う（ステップＳ２２８）。ライブビューモードに設定されている場合には（ステップＳ２２６；Ｙｅｓ）、ステップＳ２２８の処理を行うことなく、ステップＳ２３０へ移行する。
【００６８】
ステップＳ２３０では、ステップＳ２２４で決定した絞り値をレンズ制御コントローラ１３０へ送信するとともに、ステップＳ２２４で決定したシャッタ秒時に基づきシャッタ３３を制御して撮像素子３４を露光する。露光動作後、撮像素子３４から画像データは読み出されて所定の画像ファイルに変換してメモリカード６５へ格納される。そして、ファインダモードがライブビューモードに設定されているか否かを判定する（ステップＳ２３２）。ライブビューモードに設定されていない場合（光学ファインダモードに設定されている場合）には（ステップＳ２３２；Ｎｏ）、ミラー駆動回路１２４を制御し、クイックリターンミラー３１をダウン位置へ設定するミラーダウン動作を行う（ステップＳ２３４）。ライブビューモードに設定されている場合には（ステップＳ２３２；Ｙｅｓ）、ステップＳ３４の処理を行うことなく、ステップＳ２００へ移行する。
【００６９】
また、レリーズボタン１４がＯＦＦの場合には（ステップＳ２２０；Ｎｏ）、カメラ操作スイッチ１１４の一つである電源スイッチ１６がＯＮ状態にあるか否かを判定する（ステップＳ２３６）。電源スイッチ１６がＯＮ状態であれば（ステップＳ２３６；Ｙｅｓ）、ステップＳ２３８へ移行する。ステップＳ２３８では、タイマカウンタのカウント値が予め設定された所定の閾値時間ＴＭｆａｎ−ｏｎより大きいか否かを判定する。所定の閾値時間ＴＭｆａｎ−ｏｎは、ＦｌａｓｈＲｏｍ１１３に制御パラメータの一つとして予め記憶されている。
【００７０】
ここで、タイマカウンタのカウント値（ライブビューの経過時間）が閾値時間ＴＭｆａｎ−ｏｎより大きくなると（ステップＳ２３８；Ｙｅｓ）、空冷ファン８４を駆動させて撮像素子３４を含む駆動回路基板３７周りを冷やす必要があり、ステップＳ２４０側に移行する。まず、既に空冷ファン８４が駆動中であるか否かを判定する（ステップＳ２４０）。駆動中でなければ（ステップＳ２４０；Ｎｏ）、空冷ファン駆動回路１２８へ駆動開始信号を送出し、空冷ファン８４の駆動を開始させる（ステップＳ２４２）。駆動中であれば（ステップＳ２４０：Ｙｅｓ）、ステップＳ２００へ移行する。
【００７１】
一方、タイマカウンタのカウント値が閾値時間ＴＭｆａｎ−ｏｎ以下の場合には（ステップＳ２３８；Ｎｏ）、ステップＳ２００側に移行する。
【００７２】
また、電源スイッチ１６がＯＦＦであれば（ステップＳ２３６；Ｎｏ）、システム停止動作を実行し（ステップＳ２５０）、システムの動作を停止させる。
【００７３】
また、システムコントローラ１００により実行される上記の連写モード時の空冷ファン８４の動作制御例について説明する。図１０は、連写モード時における空冷ファン８４の動作制御例を示す概略フローチャートである。すなわち、連写撮影動作を行うと、撮像素子３４が連続的に駆動される。撮像素子３４は、連続的な動作によって温度が上昇する。そこで、連写撮影のコマ数が所定値に達したら空冷ファン８４を駆動させることで、撮像素子３４を含む駆動回路基板３７周りの冷却を行う。なお、このフローチャートでは、上記制御の特徴点を説明するために必要な動作のみを示す。
【００７４】
まず、カメラ操作スイッチ１１４の一つである電源スイッチ１６がＯＮすると、システムに電源が供給され、システムコントローラ１００は、動作を開始する。動作の開始時に、システム初期化動作を実行する（ステップＳ２９０）。次いで、カメラ操作スイッチ１１４の一つである撮影モードスイッチの状態がＯＮであるか否かを判定する（ステップＳ３００）。撮影モードスイッチがＯＦＦの場合には（ステップＳ３００；Ｎｏ）、ステップＳ３０７へ移行する。一方、撮影モードスイッチがＯＮの場合には（ステップＳ３００；Ｙｅｓ）、ステップＳ３０２へ移行する。
【００７５】
ここで、撮影モードスイッチは、その操作に応じて、２つの撮影モードが切り替わる。すなわち、連続撮影モード（連写モード）と一コマ撮影モードとが交互に切り替わる。連続撮影モードにおいてレリーズボタン１４がＯＮ状態に設定されると、そのＯＮ状態が維持され、撮影動作が繰り返し実行される。そのため、撮像素子３４も連続的に動作することになり、温度が上昇する。一方、一コマ撮影モードにおいてレリーズボタン１４がＯＮ状態になると、一回だけ撮影動作が行われる。再度、撮影動作を行うためには、一旦、レリーズボタン１４をＯＦＦ状態に設定し、レリーズボタン１４を再度ＯＮ状態にする。一コマ撮影モード時にあっては、撮影動作が連続的に実行されないので、撮像素子３４の温度は上がりにくい。
【００７６】
そこで、ステップＳ３０２では、設定されている撮影モードが一コマ撮影モードであるか否かを判定する。一コマ撮影モードが設定されている場合には（ステップＳ３０２；Ｙｅｓ）、撮影モードを連続撮影モードに設定する（ステップＳ３０４）。一方、一コマ撮影モードが設定されていない場合（連続撮影モードに設定されている場合）には（ステップＳ３０２；Ｎｏ）、撮影モードを一コマ撮影モードに設定する（ステップＳ３０６）。
【００７７】
そして、カメラ操作スイッチ１１４の一つであるレリーズボタン１４がＯＮしているか否かを判定する（ステップＳ３０７）。レリーズボタン１４がＯＮしている場合には（ステップＳ３０７；Ｙｅｓ）、撮影モードが連続撮影モードに設定されているか否かを判定する（ステップＳ３０８）。連続撮影モードに設定されていない場合には（ステップＳ３０８；Ｎｏ）、ステップＳ３１４へ移行する。連続撮影モードに設定されている場合には（ステップＳ３０８；Ｙｅｓ）、連続的な撮影動作を開始する。そして、この連続撮影動作における一コマ目の撮影動作であるか否かを判定する（ステップＳ３１０）。一コマ目であれば（ステップＳ３１０；Ｙｅｓ）、連続的な撮影動作中のコマ数をカウントする連写カウンタをクリア（０を設定）する（ステップＳ３１２）。この連写カウンタのカウント値に基づき、後述するように空冷ファン８４の駆動が制御される。一コマ目でなければ（ステップＳ３１０；Ｎｏ）、ステップＳ３１４へ移行する。
【００７８】
そして、ＡＦセンサユニット７１の出力に基づきデフォーカス量（公知の位相差方式の焦点検出方法による）を検出し、検出したデフォーカス量をレンズ制御コントローラ１３０へ送信する。このデフォーカス量に基づきレンズ制御コントローラ１３０によって撮影レンズ９の焦点調整動作を実行させる（ステップＳ３１４）。また、測光動作を行い、輝度測定回路１１１の出力をＡ／Ｄ変換して被写体輝度を検出する（ステップＳ３１６）。このデータに基づき、露出条件（レンズの絞り値、シャッタ秒時）を決定する。
【００７９】
引き続き、ミラー駆動回路１２４を制御し、クイックリターンミラー３１をアップ位置へ設定するミラーアップ動作を行う（ステップＳ３１８）。さらに、ステップＳ３１６で決定した絞り値をレンズ制御コントローラ１３０へ送信するとともに、ステップＳ３１６で決定したシャッタ秒時に基づきシャッタ３３を制御して撮像素子３４を露光する（ステップＳ３２０）。露光動作後、撮像素子３４から画像データは読み出されて所定の画像ファイルに変換してメモリカード６５へ格納される。次いで、ミラー駆動回路１２４を制御し、クイックリターンミラー３１をダウン位置へ設定するミラーダウン動作を行う（ステップＳ３２２）。
【００８０】
この後、撮影モードが連続撮影モードに設定されているか否かを判定する（ステップＳ３２４）。連続撮影モードに設定されていない場合（一コマ撮影モードに設定されている場合）には（ステップＳ３２４；Ｎｏ）、レリーズボタン１４がＯＦＦとなるまで、ステップＳ３００への移行を禁止する（ステップＳ３３６）。１回のレリーズボタン１４のＯＮに対して１回の撮影動作が実行されるようにするための制御である。
【００８１】
一方、連続撮影モードに設定されている場合には（ステップＳ３２４；Ｙｅｓ）、連写カウンタのカウント値をカウントアップする（ステップＳ３２６）。そして、連写カウンタのカウント値が予め設定された所定の閾値回数Ｎｆａｎ−ｏｎより大きいか否かを判定する（ステップＳ３２８）。所定の閾値回数Ｎｆａｎ−ｏｎは、ＦｌａｓｈＲｏｍ１１３に制御パラメータの一つとして予め記憶されている。ここで、連写カウンタのカウント値（連写回数）が閾値回数Ｎｆａｎ−ｏｎより大きくなると（ステップＳ３２８；Ｙｅｓ）、空冷ファン８４を駆動させて撮像素子３４を含む駆動回路基板３７周りを冷やす必要があり、ステップＳ３３０側に移行する。
【００８２】
まず、既に空冷ファン８４が駆動中であるか否かを判定する（ステップＳ３３０）。駆動中でなければ（ステップＳ３３０；Ｎｏ）、空冷ファン駆動回路１２８へ駆動開始信号を送出し、空冷ファン８４の駆動を開始させる（ステップＳ３３２）。そして、空冷ファン８４の駆動時間を計測するためのタイマカウンタのカウント動作を開始させる（ステップＳ３３４）。一旦、空冷ファン８４の駆動を開始したら、所定時間は駆動を維持する必要がある。連続的な撮影動作の終了もしくは連写撮影モードの解除に応じて空冷ファン８４を停止させると、十分な時間、空冷ファン８４が駆動されることなく停止する可能性がある。そして、冷却効果を期待できない虞がある。そこで、一旦空冷ファン８４の駆動を開始したら、一定時間は駆動状態を維持する必要がある。空冷ファン８４が駆動中であれば（ステップＳ３３０：Ｙｅｓ）、ステップＳ３００へ移行する。また、連写カウンタのカウント値が閾値回数Ｎｆａｎ−ｏｎ以下の場合には（ステップＳ３２８；Ｎｏ）、ステップＳ３００側に移行する。
【００８３】
一方、レリーズボタン１４がＯＦＦの場合には（ステップＳ３０７；Ｎｏ）、カメラ操作スイッチ１１４の一つである電源スイッチ１６がＯＮ状態にあるか否かを判定する（ステップＳ３３８）。電源スイッチ１６がＯＮ状態であれば（ステップＳ３３８；Ｙｅｓ）、ステップＳ３４０へ移行する。ステップＳ３４０では、タイマカウンタのカウント値が予め設定された所定の閾値時間ＴＭ２ｆａｎ−ｏｎより大きいか否かを判定する。所定の閾値時間ＴＭ２ｆａｎ−ｏｎは、ＦｌａｓｈＲｏｍ１１３に制御パラメータの一つとして予め記憶されている。ここで、タイマカウンタのカウント値が閾値時間ＴＭ２ｆａｎ−ｏｎより大きくなると（ステップＳ３４０；Ｙｅｓ）、空冷ファン８４は必要な所定時間駆動されたことを意味する。そこで、ステップＳ３４２へ移行する。すなわち、空冷ファン８４が駆動中であるか否かを判定する（ステップＳ３４２）。駆動中であれば（ステップＳ３４２；Ｙｅｓ）、空冷ファン駆動回路１２８へ駆動停止信号を送出し、空冷ファン８４の駆動を停止させる（ステップＳ３４４）。一方、駆動中でなければ（ステップＳ３４２；Ｎｏ）、ステップＳ３００へ移行する。
【００８４】
一方、タイマカウンタのカウント値が閾値時間ＴＭ２ｆａｎ−ｏｎ以下の場合には（ステップＳ３４０；Ｎｏ）、ステップＳ３００側に移行し、空冷ファン８４の駆動を維持する。
【００８５】
また、電源スイッチ１６がＯＦＦであれば（ステップＳ３３８；Ｎｏ）、システム停止動作を実行し（ステップＳ３５０）、システムの動作を停止させる。
【００８６】
また、本実施の形態では、カメラ本体１０の背面側に固定の液晶モニタ２３を備えるカメラの例で説明したが、例えば、図１１および図１２に示すように可動式の液晶モニタ２００を備える場合であっても同様に適用できる。図１１は、変形例のカメラ本体を光軸を含む水平面で切断して示す水平断面図であり、図１２は、変形例のカメラ本体を光軸を含む垂直面で切断して示す縦断側面図である。可動式の液晶モニタ２００は、カメラ本体１０の一端側に設けた回動軸２０１を中心に左右方向に開閉自在で、かつ、回動軸２０１に対して回転自在な図示しないユニバーサルジョイントによって反転自在に設けられたものである。可動式の液晶モニタ２００の場合、カメラ本体１０において液晶モニタ２００の設置個所にはやや凹形状の背面壁２０２が設けられている。そして、液晶モニタ２００が開放された状態の背面壁２０２において駆動回路基板３７の端部周辺となる位置に配置させて吸気孔８１，８６，８７が形成されている。特に、可動式の液晶モニタ２００の場合、背面壁２０２において液晶モニタ２００に隠れる位置に吸気孔８１，８６，８７を配置させることができる。これにより、カメラ外観を極力損なわない上に、液晶モニタ２００による制約を受けないため極力駆動回路基板３７の端部に近い位置に吸気孔８１，８６，８７を配置させることができる。よって、駆動回路基板３７の冷却を効率よく行わせることができる。なお、液晶モニタ２００の可動構造は、図示例のような左右開閉方式に限らず、例えば上下開閉方式であってもよい。
【００８７】
また、本実施の形態は、電子カメラとしてレンズ交換可能な一眼レフレックス式デジタルカメラへの適用例で説明したが、このような適用例に限らず、例えば顕微鏡の観察部に装着して顕微鏡撮影機材として使用する場合であっても同様に適用することができる。
【図面の簡単な説明】
【００８８】
【図１】本実施の形態の一眼レフレックス式デジタルカメラのカメラ本体を前面側から見た外観斜視図である。
【図２】カメラ本体を背面側から見た外観斜視図である。
【図３】カメラ本体を背面側から俯瞰して示す外観斜視図である。
【図４】カメラ本体を光軸を含む水平面で切断して示す水平断面図である。
【図５】カメラ本体を光軸を含む垂直面で切断して示す縦断側面図である。
【図６】撮像素子シフト機構の構成例を示す分解斜視図である。
【図７】本実施の形態の一眼レフレックス式デジタルカメラの電装制御系の構成例を示すブロック図である。
【図８】検出温度に応じた空冷ファンの動作制御例を示す概略フローチャートである。
【図９】ライブビューモード時における空冷ファンの動作制御例を示す概略フローチャートである。
【図１０】連写モード時における空冷ファンの動作制御例を示す概略フローチャートである。
【図１１】変形例のカメラ本体を光軸を含む水平面で切断して示す水平断面図である。
【図１２】変形例のカメラ本体を光軸を含む垂直面で切断して示す縦断側面図である。
【符号の説明】
【００８９】
１０  カメラ本体
１１  マウント部
１３  グリップ部
２３  液晶モニタ
３４  撮像素子
３５  放熱板
３７  駆動回路基板
４３  蓄熱材
４５  ＴＧ素子
４６  ＡＦＥ素子
４７  温度センサ
５０  撮像素子シフト機構
６１  電池
６２  電池室
６８  電源回路基板
８１  吸気孔
８２  排気孔
８４  空冷ファン
８６，８７  吸気孔
８８  前面側吸気孔
８９〜９３  フィルタ部材
１００  システムコントローラ
２００  液晶モニタ
Ｌ  光軸
【図１】
2009033718.tif 000003
【図２】
2009033718.tif 000004
【図３】
2009033718.tif 000005
【図４】
2009033718.tif 000006
【図５】
2009033718.tif 000007
【図６】
2009033718.tif 000008
【図７】
2009033718.tif 000009
【図８】
2009033718.tif 000010
【図９】
2009033718.tif 000011
【図１０】
2009033718.tif 000012
【図１１】
2009033718.tif 000013
【図１２】
2009033718.tif 000014